(57)【要約】【課題】  ＩＣカードリーダライタに挿入されたＩＣカードを第三者によって不正に抜き取られ盗まれることを防止するＩＣカードリーダライタにおけるＩＣカード不正抜き取り防止システムを提供する。【解決手段】  ＩＣカードリーダライタが挿入されているＩＣカードの抜き取りを行えない状態にロックするロック手段と、ロック状態を解除するロック解除手段と、使用者の生体情報を読み取る生体情報読取手段と、生体情報読取手段で読み取った生体情報をＩＣカードに書き込む書込手段と、ＩＣカードから照合結果情報を読み取る読取手段と、読取手段で読み取った結果情報が照合一致の情報である場合に、ＩＣカードの抜き取りを行える状態に制御する制御手段とを有し、ＩＣカードが、認証する者を特定できる生体情報を予め記憶させた記憶手段と、書込手段で書き込まれた生体情報と記憶手段に記憶された生体情報とを照合する生体情報照合手段と有する。【選択図】        図２
2005222093.tif 000002
【特許請求の範囲】
【請求項１】
ＩＣカードリーダライタに挿入されているＩＣカードが、第三者により不正に抜き取られることを防止するＩＣカードリーダライタにおけるＩＣカード不正抜き取り防止システムであって、
前記ＩＣカードリーダライタが、該ＩＣカードリーダライタに挿入されているＩＣカードの抜き取りを行えない状態にロックするロック手段と、前記ロック手段のロック状態を解除するロック解除手段と、使用者の生体情報を読み取る生体情報読取手段と、前記生体情報読取手段で読み取った生体情報を前記ＩＣカードに書き込む書込手段と、前記ＩＣカードから照合結果情報を読み取る読取手段と、前記読取手段で読み取った照合結果情報が照合一致の情報である場合に、前記ロック解除手段により前記ＩＣカードの抜き取りを行える状態に制御する制御手段とを有し、
前記ＩＣカードが、認証する者を特定できる生体情報を予め記憶させた記憶手段と、前記書込手段で書き込まれた生体情報と前記記憶手段に記憶された生体情報とを照合する生体情報照合手段と有することを特徴とするＩＣカードリーダライタにおけるＩＣカード不正抜き取り防止システム。
【請求項２】
前記生体情報が、指紋情報であることを特徴とする請求項１記載のＩＣカードリーダライタにおけるＩＣカード不正抜き取り防止システム。
【発明の詳細な説明】
【技術分野】
【０００１】
本発明は、ＩＣカードリーダライタのＩＣカード挿入口から挿入されたＩＣカードが、第三者により不正に抜き取られることを防止するＩＣカードリーダライタにおけるＩＣカード不正抜き取り防止システムに関する。
【背景技術】
【０００２】
従来、ＩＣカードリーダライタは、ＩＣカードを差し込んで挿入するためのＩＣカード挿入口が設けられ、ＩＣカードに記憶されたデータの読み取り処理を行う際に、利用者がＩＣカードをＩＣカード挿入口から差し込んで、ＩＣカードリーダライタによるＩＣカードとの読み取りや書き込みを行える状態にセットし、ＩＣカードによる各種の処理が終了した後に、ＩＣカード挿入口からＩＣカードを抜き取ることで用いられる。
通常、ＩＣカードリーダライタ内にセットされたＩＣカードは、第三者であってもＩＣカード挿入口からＩＣカードが抜き取れる状態になっているために、ＩＣカードの正当な使用者以外の第三者でも簡単にＩＣカードリーダライタ内からＩＣカードを抜き取れるため、何時でも不正に第三者によってＩＣカードが抜き取られて盗まれる危険性があるという問題がある。
【０００３】
近年、これらのＩＣカードとＩＣカードリーダライタを用いたカードシステムは、様々な業種や各種の用途に利用されており、通常、ＩＣカードの使用者が、ＩＣカードリーダライタ内にＩＣカードを挿入してセットさせた状態で、ＩＣカードリーダライタが設置された場所から所用で一時的に離席することなどがある。
しかしながら、このような離席の間において、第三者が不正にＩＣカードリーダライタ内からＩＣカードを抜き取り、盗み、盗んだＩＣカードにより不正行為を行うという危険性がある。
【０００４】
例えば、一例として高速道路の決済にＥＴＣシステムを利用している場合に、クレジットＩＣカードを常時に車載リーダライタに挿入しセットさせたままの状態で運用することがある。
このような場合、もしも車上荒らしなどの被害に合ったとすると、車載リーダライタにセットされたクレジットＩＣカードも、車載リーダライタから簡単に抜き取られて盗難にあってしまうことが考えられる。
このような被害は、ＩＣカードリーダライタからＩＣカードを誰でも簡単に抜き取れる状態にあるからである。
【０００５】
本人認証を行うための従来技術としては、例えばＩＤカード内に登録されている指紋データと、ＩＤカードの所持者本人から読み取った指紋データとを比較照合し、その比較照合の結果により、ＩＤカードの使用者がそのＩＤカードを使用できる正当な本人であるか否かを確認する技術が公知となっている。（例えば、特許文献１参照）
しかしながら、従来の公知技術においては、ＩＣカードリーダライタからＩＣカードを抜き取れる状態にあるために、ＩＣカードリーダライタにセットされているＩＣカードが第三者から盗難されることを防止することができない。
【特許文献１】特開２００３−３４６０９９
【発明の開示】
【発明が解決しようとする課題】
【０００６】
本発明は、ＩＣカードリーダライタに挿入されてセットされたＩＣカードを、ＩＣカードの使用者以外の第三者によって不正に抜き取られ盗まれることを防止することができるＩＣカードリーダライタにおけるＩＣカード不正抜き取り防止システムを提供する。
【課題を解決するための手段】
【０００７】
本発明のＩＣカードリーダライタにおけるＩＣカード不正抜き取り防止システムは、  ＩＣカードリーダライタに挿入されているＩＣカードが、第三者により不正に抜き取られることを防止するＩＣカードリーダライタにおけるＩＣカード不正抜き取り防止システムであって、前記ＩＣカードリーダライタが、該ＩＣカードリーダライタに挿入されているＩＣカードの抜き取りを行えない状態にロックするロック手段と、前記ロック手段のロック状態を解除するロック解除手段と、使用者の生体情報を読み取る生体情報読取手段と、前記生体情報読取手段で読み取った生体情報を前記ＩＣカードに書き込む書込手段と、前記ＩＣカードから照合結果情報を読み取る読取手段と、前記読取手段で読み取った照合結果情報が照合一致の情報である場合に、前記ロック解除手段により前記ＩＣカードの抜き取りを行える状態に制御する制御手段とを有し、前記ＩＣカードが、認証する者を特定できる生体情報を予め記憶させた記憶手段と、前記書込手段で書き込まれた生体情報と前記記憶手段に記憶された生体情報とを照合する生体情報照合手段と有することを特徴とする。
【０００８】
また、本発明のＩＣカードリーダライタにおけるＩＣカード不正抜き取り防止システムは、前記生体情報が、指紋情報であることを特徴とする。
【発明の効果】
【０００９】
本発明のＩＣカードリーダライタにおけるＩＣカード不正抜き取り防止システムは、予めＩＣカードに登録されている生体情報と、その場で読み取った使用者の生体情報とが照合一致しない場合には、ＩＣカードリーダライタからＩＣカードを取出すことができない仕組みとなっているので、不正に第三者がＩＣカードを抜き取ろうとしてもＩＣカードリーダライタ内から取出すことができずに、盗難を防ぐことができるという効果がある。
【発明を実施するための最良の形態】
【００１０】
以下、図面を参照しながら本発明の実施形態を詳述する。
図１は、本発明を適応したシステム構成の一形態を示す図、図２は、本発明を適応したシステム構成のシステムブロック図、図３は、本発明のＩＣカードリーダライタにおけるＩＣカード不正抜き取り防止システムの処理手順を示すフローチャートである。
【００１１】
本発明の実施形態に係るＩＣカードリーダライタにおけるＩＣカード不正抜き取り防止システムは、図１に示すように、ＩＣカードリーダライタ１と、ＩＣカード２と、ＩＣカードリーダライタ１に接続されたパソコンなどの外部装置３とから構成されている。
ＩＣカードリーダライタ１には、ＩＣカード２を挿入するためのＩＣカード挿入口４と、使用者の指を載せるための指載置部５とが備えられている。
指載部５には、この指載置部５に載せた使用者の指紋を読み取る指紋センサーからなる生体情報読取手段が設けられている。
図１に示した構成では、パソコンからなる外部装置を使用して所望の処理を行う際に、ＩＣカード２に記憶されている情報をＩＣカードリーダライタ１で読み取り、その情報をＩＣカードリーダライタ１から外部装置に送ることで処理が行われる仕組みになっている。
【００１２】
ＩＣカード２は、図２に示すように、予めＩＣカード２の正当な使用者であることを認証するための生体情報である指紋情報が記憶された記憶手段６と、ＩＣカードリーダライタ１との間で情報の接続を行う入出力手段７と、生体情報である指紋情報の照合を行う生体情報照合手段８と、制御手段９とが備えられている。
ＩＣカード２の生体情報照合手段８は、ＩＣカードリーダライタ１から入力されてきた使用者の生体情報である指紋情報と、ＩＣカード２の記憶手段６に予め記憶されている正当な使用者の生体情報である指紋情報とを比較照合する機能を有している。
また、記憶手段６には、本人認証処理などの制御用プログラムが予め搭載され、この制御用プログラムに基づいて、ＩＣカード２に入力されてきた生体情報である指紋情報とに対する照合処理が行われ、この照合結果がＩＣカードリーダライタ１に送られるように処理される。
【００１３】
ＩＣカード２には、ＩＣチップが内蔵されたＩＣモジュール１０がカード基材に埋設されて備えられている。
そして、ＩＣモジュール１０のＩＣチップには、ＣＰＵ、読み出し専用メモリ（ＲＯＭ）、書き換え可能な不揮発性メモリ（ＥＥＰＲＯＭ）、揮発性メモリ（ＲＡＭ）が備えられている。
また、更に電源電圧を供給するＶＣＣ端子、接地用のＧＮＤ端子、リセット信号を供給するＲＳＴ端子、クロック信号を供給するＣＬＫ端子、データ入出力用のＩ／Ｏ端子などが備えられている。
そして、ＥＥＰＲＯＭには、ＩＣカード２の正当な使用者の指紋情報や、そのＩＣカード２が使用されるシステムに応じたデータや情報、例えばＩＤ番号、暗証番号、種々のデータなどが記憶されている。
【００１４】
次に、ＩＣカードリーダライタ１には、ＩＣカード２の記憶手段から情報の読み取りを行う読取手段１１と、ＩＣカード２に情報の書き込みを行う書込手段１２と、外部装置３との間で情報の接続を行う入出力手段１３と、ＩＣカード挿入口４から挿入されたＩＣカード２を抜き取れない状態にロックするロック手段１４と、ロック手段１４によるロック状態を解除するロック解除手段１５と、指載置部５に載せた使用者の生体情報である指紋情報を読み取る生体情報読取手段１６と、ＩＣカード２を搬送して出し入れを行う搬送手段１７と、記憶手段１８と、制御手段１９とを有している。
【００１５】
ロック手段１４は、ＩＣカード挿入口４から挿入されたＩＣカード２を抜き取れない状態にロックするため、例えば、搬送手段１７の搬送を電気的な制御によりＩＣカード２がＩＣカード挿入口４から外部に搬送されないように止めたり、また、物理的な機構によりＩＣカード２が抜き取れない状態にするなど様々な方法があり、どのような方法を採用してもよい。
【００１６】
また、ロック解除手段１５は、ロック手段１４で抜き取れない状態にロックされたＩＣカード２が、自由にＩＣカード挿入口４から抜き取れる状態にする機能を有し、ロック手段１４で採用されたロック方法に応じて、ロック解除可能に構成されている。
また、ＩＣカードリーダライタ１の記憶手段６には、制御用プログラムが予め搭載され、この制御用プログラムに基づいて処理が行われる。
【００１７】
また、外部装置３は、パソコンに限らず、ＩＣカードリーダライタ１と接続して用いられる種々の装置であればどのような装置であってもよく、ＩＣカードリーダライタ１が内蔵された形式の外部装置であっても、ＩＣカードリーダライタ１を外付け状態にしてコードなどで外部装置に接続させてもよい。
【００１８】
次に、本発明の実施形態に係るＩＣカードリーダライタにおけるＩＣカード不正抜き取り防止システムの処理手順を、図３のフローチャートに基づいて説明する。
まず、ＩＣカード２により処理を行う使用者は、ＩＣカードリーダライタ１のＩＣカード挿入口４からＩＣカード２を挿入する。（ステップＳ１）
ＩＣカード２がＩＣカード挿入口４から挿入されると、ＩＣカードリーダライタ１のロック手段１４により、自由にＩＣカード挿入口４から抜き取れない状態にロックされ、ＩＣカード２の抜き取りが制限される。（ステップＳ２）
【００１９】
この状態で、ＩＣカード２において、外部装置３からの処理信号に基づいた種々の処理が行われ、ＩＣカード２に記憶された情報がＩＣカードリーダライタ１で読み取られ、更に外部装置３へ送られて所望の処理が行われる。（ステップＳ３）
もしも、これらの処理の途中で、その使用者が離席した場合であっても、ＩＣカードリーダライタ１内にセットされたＩＣカード２が抜き取れない状態となっていて、セキュリティ上の保護が施されている。
【００２０】
使用者がＩＣカード２を使用した所望の処理を終了した後に、ＩＣカードリーダライタ１内にセットされたＩＣカード２を抜き取る際には、まず、ＩＣカードリーダライタ１の指載置部５に使用者の人差し指を置くことで、使用者の生体情報である指紋情報を生体情報読取手段１６で読み取る。（ステップＳ４）
上記の場合には、予め生体情報である指紋情報を読み取る指を人差し指と定めておいた場合であって、人差し指に限らず、どの指でも予め定められた指を指載置部５におき、その指の指紋情報を読み取ればよいものである。
【００２１】
次に、ＩＣカードリーダライタ１の生体情報読取手段１６で読み取られた生体情報である指紋情報は、ＩＣカードリーダライタ１の書込手段１２からＩＣカード２へと書き込まれる。（ステップＳ５）
そして、ＩＣカード２において、ＩＣカードリーダライタ１から書き込まれた生体情報である指紋情報は、予めＩＣカード２の記憶手段６に記憶されている生体情報である指紋情報と照合処理が行われる。（ステップＳ６）
この照合処理の結果としては、照合が一致した場合と、照合が不一致した場合とにわかれるが、これらの照合結果情報は、ＩＣカード２からＩＣカードリーダライタ１へと送られる。（ステップＳ７）
【００２２】
そして、照合処理の結果情報を受信したＩＣカードリーダライタ１は、受信した結果情報が照合一致である場合に、ロック解除手段１５が作動してロック状態からＩＣカード２を自由にＩＣカード挿入口４から抜き取れる状態にする。（ステップＳ８）
また、ＩＣカードリーダライタ１が受信した結果情報が照合不一致である場合には、ロック解除手段１５が作動せずにロック状態のままとなり、ＩＣカード２をＩＣカード挿入口４から抜き取れずに、第三者による不正なＩＣカード２の抜き取りを防止することができるようにしてある。
【００２３】
以上のように、本発明のＩＣカードリーダライタにおけるＩＣカード不正抜き取り防止システムは、一旦、ＩＣカードリーダライタ内に挿入されたＩＣカードを抜き取る場合に、必ず生体情報である指紋情報による照合処理で照合一致することが必要であるように構成してあるので、予め生体情報である指紋情報を登録した正当な使用者だけが、ＩＣカードリーダライタからＩＣカードの抜き取りを行えるようにしてある。
したがって、正当な使用者でない場合には、第三者が勝手にＩＣカードリーダライタ内からＩＣカードを抜き取れないようにしてある。
これにより、ＩＣカードリーダライタ内にＩＣカードを挿入させた状態にある場合に、たとえその使用者が所用で離席するなどしても、離席した間に第三者の不正にＩＣカードリーダライタからＩＣカードを抜き取る行為を防止することができ、使用者は安心してＩＣカードリーダライタ内にＩＣカードを入れたままの状態で仕事などを行えるようにしてある。
【図面の簡単な説明】
【００２４】
【図１】本発明を適応したシステム構成の一形態を示す図である。
【図２】本発明を適応したシステム構成のシステムブロック図である。
【図３】本発明のＩＣカードリーダライタにおけるＩＣカード不正抜き取り防止システムの処理手順を示すフローチャートである。
【符号の説明】
【００２５】
１  ＩＣカードリーダライタ
２  ＩＣカード
３  外部装置
４  ＩＣカード挿入口
５  指載置部
６，１８  記憶手段
７，１３  入出力手段
８  生体情報照合手段
９，１９  制御手段
１０  ＩＣモジュール
１１  読取手段
１２  書込手段
１３  入出力手段
１４  ロック手段
１５  ロック解除手段
１６  生体情報読取手段
１７  搬送手段
【図１】
2005222093.tif 000003
【図２】
2005222093.tif 000004
【図３】
2005222093.tif 000005